【手続補正書】
【提出日】平成30年7月31日(2018.7.31)
【手続補正１】
【補正対象書類名】明細書
【補正対象項目名】０００９
【補正方法】変更
【補正の内容】
【０００９】
上記の目的を達成するため、本発明による撮像装置は、被写体を撮像して画像を得る撮像装置であって、前記画像に基づいてフリッカーの検出処理又は前記フリッカーの検出処理以外の予め定められた検出処理を行う検出手段と、前記被写体を撮像する際に、前記検出手段による前記フリッカーの検出結果に応じて、前記検出手段による前記フリッカーの検出処理を行う頻度と前記予め定められた検出処理を行う頻度とを制御する制御手段と、を有し、前記フリッカーの検出処理は、所定の周期毎に、前記予め定められた検出処理から次の前記予め定められた検出処理が行われるまでに実行され、前記制御手段は、前記フリッカーの検出処理の検出結果によりフリッカーが検出された場合に、前記検出手段による前記フリッカーの検出処理を行う頻度を増加させることを特徴とする。
【手続補正２】
【補正対象書類名】明細書
【補正対象項目名】００１０
【補正方法】変更
【補正の内容】
【００１０】
本発明による制御方法は、被写体を撮像して画像を得る撮像装置の制御方法であって、前記画像に基づいてフリッカーの検出処理又は前記フリッカーの検出処理以外の予め定められた検出処理を行う検出ステップと、前記被写体を撮像する際に、前記検出ステップによる前記フリッカーの検出処理の検出結果に応じて、前記検出ステップで行われる前記フリッカーの検出処理を行う頻度と前記予め定められた検出処理を行う頻度とを制御する制御ステップと、を有し、前記フリッカーの検出処理は、所定の周期毎に、前記予め定められた検出処理から次の前記予め定められた検出処理が行われるまでに実行され、前記制御ステップでは、前記フリッカーの検出処理の検出結果によりフリッカーが検出された場合に、前記検出ステップにおける前記フリッカーの検出処理を行う頻度を増加させることを特徴とする。
【手続補正３】
【補正対象書類名】明細書
【補正対象項目名】００１１
【補正方法】変更
【補正の内容】
【００１１】
本発明による制御プログラムは、被写体を撮像して画像を得る撮像装置で用いられる制御プログラムであって、前記撮像装置が備えるコンピュータに、前記画像に基づいてフリッカーの検出処理又は前記フリッカーの検出処理以外の予め定められた検出処理を行う検出ステップと、前記被写体を撮像する際に、前記検出ステップによる前記フリッカーの検出処理の検出結果に応じて、前記検出ステップで行われる前記フリッカーの検出処理を行う頻度と前記予め定められた検出処理を行う頻度とを制御する制御ステップと、を実行させ、前記フリッカーの検出処理は、所定の周期毎に、前記予め定められた検出処理から次の前記予め定められた検出処理が行われるまでに実行され、前記制御ステップでは、前記フリッカーの検出処理の検出結果によりフリッカーが検出された場合に、前記検出ステップにおける前記フリッカーの検出処理を行う頻度を増加させることを特徴とする。
【手続補正４】
【補正対象書類名】特許請求の範囲
【補正対象項目名】全文
【補正方法】変更
【補正の内容】
【特許請求の範囲】
【請求項１】
被写体を撮像して画像を得る撮像装置であって、
前記画像に基づいてフリッカーの検出処理又は前記フリッカーの検出処理以外の予め定められた検出処理を行う検出手段と、
前記被写体を撮像する際に、前記検出手段による前記フリッカーの検出結果に応じて、前記検出手段による前記フリッカーの検出処理を行う頻度と前記予め定められた検出処理を行う頻度とを制御する制御手段と、
を有し、
前記フリッカーの検出処理は、所定の周期毎に、前記予め定められた検出処理から次の前記予め定められた検出処理が行われるまでに実行され、
前記制御手段は、前記フリッカーの検出処理の検出結果によりフリッカーが検出された場合に、前記検出手段による前記フリッカーの検出処理を行う頻度を増加させることを特徴とする撮像装置。
【請求項２】
前記フリッカーの検出処理は、フリッカーの１周期よりも短い電荷蓄積期間で得られた複数の画像に基づいて、少なくともフリッカーの光量変化の周期を検出する処理であることを特徴とする請求項１に記載の撮像装置。
【請求項３】
前記制御手段は、前記フリッカーの検出処理の検出結果によりフリッカーが検出された場合に、前記予め定められた検出処理を行う頻度を減少させることを特徴とする請求項１又は２に記載の撮像装置。
【請求項４】
前記制御手段は、前記フリッカーの検出処理の検出結果によりフリッカーが検出されていない場合に、前記検出手段による前記フリッカーの検出処理を行う頻度を減少させるか又は前記フリッカーの検出処理を停止させ、前記検出手段による前記予め定められた検出処理を行う頻度を増加させることを特徴とする請求項１乃至３のいずれか１項に記載の撮像装置。
【請求項５】
前記予め定められた検出処理は、前記被写体を検出する処理であることを特徴とする請求項１乃至４のいずれか１項に記載の撮像装置。
【請求項６】
前記予め定められた検出処理は、検出した前記被写体を追尾する処理であることを特徴とする請求項１乃至４のいずれか１項に記載の撮像装置。
【請求項７】
被写体を撮像して画像を出力するセンサーを有し、
前記検出手段は、前記センサーから出力された画像に基づいて、前記フリッカーの検出処理と前記予め定められた検出処理とを行うことを特徴とする請求項１乃至６のいずれか１項に記載の撮像装置。
【請求項８】
前記検出手段は、前記フリッカーの検出処理と前記予め定められた検出処理とにおいて、それぞれ異なる画像を用いることを特徴とする請求項７に記載の撮像装置。
【請求項９】
被写体を撮像して画像を得る撮像装置の制御方法であって、
前記画像に基づいてフリッカーの検出処理又は前記フリッカーの検出処理以外の予め定められた検出処理を行う検出ステップと、
前記被写体を撮像する際に、前記検出ステップによる前記フリッカーの検出処理の検出結果に応じて、前記検出ステップで行われる前記フリッカーの検出処理を行う頻度と前記予め定められた検出処理を行う頻度とを制御する制御ステップと、
を有し、
前記フリッカーの検出処理は、所定の周期毎に、前記予め定められた検出処理から次の前記予め定められた検出処理が行われるまでに実行され、
前記制御ステップでは、前記フリッカーの検出処理の検出結果によりフリッカーが検出された場合に、前記検出ステップにおける前記フリッカーの検出処理を行う頻度を増加させることを特徴とする制御方法。
【請求項１０】
被写体を撮像して画像を得る撮像装置で用いられる制御プログラムであって、
前記撮像装置が備えるコンピュータに、
前記画像に基づいてフリッカーの検出処理又は前記フリッカーの検出処理以外の予め定められた検出処理を行う検出ステップと、
前記被写体を撮像する際に、前記検出ステップによる前記フリッカーの検出処理の検出結果に応じて、前記検出ステップで行われる前記フリッカーの検出処理を行う頻度と前記予め定められた検出処理を行う頻度とを制御する制御ステップと、
を実行させ、
前記フリッカーの検出処理は、所定の周期毎に、前記予め定められた検出処理から次の前記予め定められた検出処理が行われるまでに実行され、
前記制御ステップでは、前記フリッカーの検出処理の検出結果によりフリッカーが検出された場合に、前記検出ステップにおける前記フリッカーの検出処理を行う頻度を増加させることを特徴とする制御プログラム。